(57)【要約】      （修正有）【課題】  ホース引出長に応じて、操作ハンドルの巻取り力（回転トルク）を変化させる巻取り機構を提供する。【解決手段】  ドラム軸部の一方端から給水管と連結して巻取りドラムに巻回するホースリールにおいて、ドラム軸部５３から離れた位置で且つドラム軸部５３と平行なハンドル軸部５２、巻取りハンドル５１を備え、連結ベルト５４が、ドラム軸部とハンドル軸部に多重巻回状態で、且つハンドル軸部の巻取り方向回転でドラム軸部の巻取り方向回転となるようにドラム軸部とハンドル軸部の伝達機構とし、ハンドル（=ハンドル軸部）の回転数と巻取りドラム（=ドラム軸部）の回転数の比率が相違し、ホース引き出し長さに応じて巻取り回転比（ハンドル軸部回転数／ドラム軸部回転数）が変化する。【選択図】  図２
2006027787.tif 000002
【特許請求の範囲】
【請求項１】
内方にドラム収納空間を備えた本体に巻取りドラムを軸装し、ドラム軸部の一方端からドラム軸部内に内装した給水管と連結して巻取りドラム表面に露出し、前記巻取りドラムに巻回するホースを備えたホースリールにおいて、ドラム軸部から離れた位置で且つドラム軸部と平行なハンドル軸部、及びハンドル軸部に付設した巻取りハンドルを備え、適宜長さ及び厚味を備えた連結ベルトが、ドラム軸部とハンドル軸部に多重巻回状態で、且つハンドル軸部の巻取り方向回転でドラム軸部のホース巻取り方向回転となるようにドラム軸部とハンドル軸部の伝達機構となることを特徴とするホースリール。
【請求項２】
ホースを最も長く引き出した状態で、ドラム軸部の連結ベルト巻回外径が、ハンドル軸部の連結ベルト巻回外径より大きく、ホースの完全巻取り状態で、ドラム軸部の連結ベルト巻回外径が、ハンドル軸部の連結ベルト巻回外径より小さくなる、連結ベルトの厚味及び各軸部の径を設定してなる請求項１記載のホースリール。
【発明の詳細な説明】
【技術分野】
【０００１】
本発明は、家庭での植物への灌漑散水や、自動車の洗浄などに使用するホースリールに関するものである。
【背景技術】
【０００２】
ホースリールは周知の通り、内方にドラム収納空間を備えた本体に、巻取りドラムを軸装し、ドラム軸の一方端から軸内に内装した給水管と連結して巻取りドラム表面に露出するホースを、前記巻取りドラムに巻回している構造で、巻取り駆動を手動で行うものにあっては、本体側方に巻取りドラム軸と連結して巻取りドラムを回転駆動するハンドルを設けているものである。
【０００３】
ところで、前記器具において特にホースを長く引き出して使用した場合や、またホース内に水を含んでいる場合には、使用後のホースの手動巻取り操作において大きな力を必要としてしまい、子供や女性にとっては巻き取れないことがある。
【０００４】
そこで特開２００１−２１３５７８号公報（特許文献１）には、巻取りドラムの巻取り軸に大径の周縁歯車を周設し、手動ハンドルの回転軸に小歯車を軸着し、小歯車と周縁歯車を噛み合わせ、ハンドル操作の力を軽減する手段が開示されている。
【特許文献１】特開２００１−２１３５７８号公報。
【発明の開示】
【発明が解決しようとする課題】
【０００５】
ところで巻取り操作時の負担（巻取りに必要な力）は、ホースの引出長が長い程大きく、短いと小さい。特許文献１記載のホースリールは、ホースの引出長に関り無く、ハンドルと巻取りドラムの回転比を変更しているに過ぎない。このためホースを長く引き出している場合を基準にすると、ホースの引出長が短い場合には、逆に軽すぎる位の力での巻取りとなり、しかもハンドルの巻取り回転回数が多くなるので、必ずしも効率的な巻き取り操作とはいえない。
【０００６】
そこで本発明は、ホース引出長に応じて、操作ハンドルの巻取り力（回転トルク）を変化させる新規な巻取り機構を備えたホースリールを提案したものである。
【課題を解決するための手段】
【０００７】
本発明に係るホースリールは、内方にドラム収納空間を備えた本体に巻取りドラムを軸装し、ドラム軸部の一方端からドラム軸部内に内装した給水管と連結して巻取りドラム表面に露出し、前記巻取りドラムに巻回するホースを備えたホースリールにおいて、ドラム軸部から離れた位置で且つドラム軸部と平行なハンドル軸部、及びハンドル軸部に付設した巻取りハンドルを備え、適宜長さ及び厚味を備えた連結ベルトが、ドラム軸部とハンドル軸部に多重巻回状態で、且つハンドル軸部の巻取り方向回転でドラム軸部の巻取り方向回転となるようにドラム軸部とハンドル軸部の伝達機構となることを特徴とするものである。
【０００８】
而してホースを引き出すと、ドラム軸部が回転してハンドル軸部に巻かれている連結ベルトを巻き取ることになり、逆にハンドルをホース巻取り方法に回転するとハンドル軸部が回転してドラム軸部に巻かれている連結ベルトを巻き取ることになる。従ってハンドルの巻取り操作において、当初はハンドル軸部の巻取り径（巻回積層の連結ベルトの外径）が小さくなり、ホース巻取りが進むと巻取り径が大きくなり、一方ドラム軸部では、巻回積層の連結ベルトの外径が大きく、ホース巻取りが進むと、巻回積層の連結ベルトの外径が小さくなる。即ち引き出されたホースの巻取りに際してホースが引き出されている長さによって、ハンドル（=ハンドル軸部）の回転数と巻取りドラム（=ドラム軸部）の回転数の比率が相違し、ホース引き出し長さに応じて巻取り回転比（ハンドル軸部回転数／ドラム軸部回転数）が変化する。
【発明の効果】
【０００９】
本発明は上記構成を採用したものであるから、巻取りドラムから引き出されたホースを巻き取る際に、当初は軽い力でハンドルを操作でき、巻取りによってホース引出長が短くなって巻取りに必要な力が徐々に減少すると、それに伴なって巻取り回転比が大きくなり、よりスムーズな巻取り操作がなされるものである。
【発明を実施するための最良の形態】
【００１０】
次に本発明の実施の形態について説明する。実施形態に示したホースリールは、基本的には従前の手動ホースリールと同様に、本体１と巻取りドラム２と、給水部３と散水用のホース４を備え、更に本発明の特徴である駆動伝達機構５で構成したものである。
【００１１】
本体１は、設置可能な脚部や、巻取りドラムの軸装が可能な側板部などを備えたもので、両側板部間のドラム収納空間に巻取りドラム２を回転自在に軸装したものである。
給水部３は、巻取りドラム２の本体側板部に軸支されている回転軸部（ドラム軸部）の一方端からドラム軸部内に内装した給水管を備え、前記給水管に給水ホースを連結するもので、当該連結箇所が回転自在な継ぎ手を介装しているものである。
【００１２】
散水用のホース４は、一端をドラム軸部内の給水管に連結し、巻取りドラム２に多重に巻回して収納するもので、先端には適宜な放水部を備え、巻取りドラム２から適宜長さ引き出して使用するものである。
【００１３】
駆動伝達機構５は、手動ハンドル５１を装着したハンドル軸部５２と、ドラム軸部５３と、ハンドル軸部５２とドラム軸部５３とにそれぞれ巻回している連結ベルト５４とで構成される。
【００１４】
特に連結ベルト５４は、例えばホース４の全部が巻取りドラム２に巻かれた収納状態では、その殆どがハンドル軸部５２に巻かれた状態となり、ホース４を全部引き出した場合には、その殆どがドラム軸部５３に巻き取られるようにしたものである。
【００１５】
即ちホース４が２０ｍの一般的な市販のホースリールを例にとると、ハンドル軸部５２の外径が６０ｍｍで、ドラム軸部５３の外径が８０ｍｍとし、連結ベルト５４の厚さを０．５ｍｍとした場合に、連結ベルト５４の全長は最低［１２．５６ｍ＋軸部間距離］の長さを備えていれば良い。
【００１６】
上記の構成によって、収納状態のホース４を引き出すと、ホース４の引き出しに対応して巻取りドラム２及びドラム軸部５３が回転して、ハンドル軸部５２に巻かれていた連結ベルト５４を、ドラム軸部５３で巻き取ることになる。
【００１７】
そしてホース４の巻取り収納に際して、ハンドル５１を回転操作すると、ハンドル軸部５２でドラム軸部５３に巻かれた連結ベルト５４を巻取ることになり、この巻取りで巻取りドラム２を回転させ、ホース４の巻取りを行う。その際、ハンドル軸部５２の連結ベルト５４の巻取り半径が、ドラム軸部５３の連結ベルト５４の巻回半径より小さいので、ハンドル軸部５２の一回転でドラム軸部５３は一回転以下の回転となり、直接ドラム軸部５４を駆動するより軽い力で巻取りが可能となる（図２イの状態）。またホース４の巻取りが進んで、ホースの巻取りに必要な力が小さくなるに従って、ハンドル軸部５２の巻取り半径が大きくなり、逆にドラム軸部５３の連結ベルト５４の巻回半径が小さくなるので、ハンドル軸部５２の一回転でドラム軸部５３は一回転以上の回転となり、巻取り収納が速やかに行われることになる（図２ロの状態）。
【００１８】
従って大きなトルクを必要とするホースの巻取り開始時には、ハンドル軸部の回転比（ハンドル軸部回転数／ドラム軸部回転数）を大きくし、必要トルクが小さくなると回転比を小さくして、効率的な巻取りが実現するものである。
【００１９】
尚本発明は、連結ベルトを採用して、ホース収納時のハンドル軸部とドラム軸部の回転比を変化させることが特徴で、例えばホースの長さが長く、必要とする巻取りトルクが大きい場合には、ドラム軸部の外径を大きくして、巻取り回転比が１以上を維持するようにするなど、回転比の設定は任意に定められるものである。
【図面の簡単な説明】
【００２０】
【図１】本発明の実施形態の全体図。
【図２】同駆動伝達機構の説明図。
【符号の説明】
【００２１】
１        本体
２        巻取りドラム
３        給水部
４        ホース
５        駆動伝達機構
５１      手動ハンドル
５２      ハンドル軸部
５３      ドラム軸部
５４      連結ベルト
【図１】
2006027787.tif 000003
【図２】
2006027787.tif 000004